(57)【要約】  音声及びデータサービスを含むマルチメディアサービスを支援する移動通信システムにおいて基地局と端末機間に使用可能な直交符号に対する情報を送/受信する方法及び装置を提供する。本発明の基地局は、該基地局に連結されて同じ時間区間でデータサービスを同時に受ける複数の端末機においてデータサービスのために用いられる直交符号を指示する直交符号空間指示情報を前記各端末機のチャネル状態を考慮して生成し、これらの生成された直交符号空間指示情報を前記各端末機に通報する。前記各端末機は、前記基地局から通報される情報を受信してデータサービスのために用いられる直交符号に対する情報を判断する。
2005510117.tif 000002
【特許請求の範囲】
【請求項１】
複数の端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を、前記基地局により前記端末機に送信する方法であって、
前記基地局と前記各端末機間の順方向チャネル状態を判断する過程と；
前記端末機のうち、順方向チャネル状態の悪い端末機の順序にしたがって前記拡散データの逆拡散のために割当可能な一連の直交符号のうち、開始位置の直交符号から予め設定された数までの直交符号を割り当てる過程と；
特定端末機に対して割り当てられた直交符号の終了位置の直交符号を指示する情報を前記各端末機に送信する過程と；を含むことを特徴とする送信方法。
【請求項２】
順方向チャネル状態の順序にしたがってデータサービスのために割当可能な直交符号の中で一つは、直交符号のうち最初の直交符号であることを特徴とする請求項１に記載の送信方法。
【請求項３】
前記順方向チャネル状態の順序は、チャネル状態の悪い順序からチャネル状態の良い順序であることを特徴とする請求項１に記載の送信方法。
【請求項４】
前記各端末機に対する直交符号指示情報は、異なる電力で送信されることを特徴とする請求項１に記載の送信方法。
【請求項５】
前記終了位置の直交符号を指示する情報のうち、前記順方向チャネル状態の最も良い端末機に対して割り当てられた直交符号の終了位置の直交符号を指示する情報が、最も低い電力で送信されることを特徴とする請求項２に記載の送信方法。
【請求項６】
第１及び第２端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を、前記基地局により前記端末機に送信する方法であって、
前記基地局と前記各端末機間の順方向チャネル状態を判断する過程と；
前記端末機のうち、順方向チャネル状態が相対的に悪い前記第１端末機に、前記拡散データの逆拡散のために割当可能な一連の直交符号のうち、開始位置の直交符号から予め設定された第１の数だけの直交符号を含む第１グループの直交符号を割り当て、前記端末機のうち、順方向チャネル状態が相対的に良い前記第２端末機に、前記第１グループの直交符号のうち、終了位置の直交符号から予め設定された第２の数だけの直交符号を含む第２グループの直交符号を割り当てる過程と；
前記第１グループの直交符号のうち、終了位置の直交符号を指示する第１指示情報を前記第１端末機に送信し、前記第２グループの直交符号のうち、終了位置の直交符号を指示する第２指示情報を前記第２端末機に送信する過程と；含むことを特徴とする送信方法。
【請求項７】
データサービスのために割当可能な直交符号の中で一つは、直交符号のうち最初の直交符号であることを特徴とする請求項６に記載の送信方法。
【請求項８】
前記第１指示情報と前記第２指示情報は、異なる電力で送信されることを特徴とする請求項６に記載の送信方法。
【請求項９】
前記第１指示情報が前記第２指示情報よりも高い電力で送信されることを特徴とする請求項８に記載の送信方法。
【請求項１０】
第１及び第２端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を、前記基地局と前記端末機間に送受信する方法であって、
前記基地局が、前記各端末機間の順方向チャネル状態を判断する過程と；
前記基地局が、前記端末機のうち、順方向チャネル状態が相対的に悪い前記第１端末機に、前記拡散データの逆拡散のために割当可能な一連の直交符号のうち、開始位置の直交符号から予め設定された第１の数だけの直交符号を含む第１グループの直交符号を割り当て、前記端末機のうち、順方向チャネル状態が相対的に良い前記第２端末機に、前記第１グループの直交符号のうち、終了位置の直交符号から予め設定された第２の数だけの直交符号を含む第２グループの直交符号を割り当てる過程と；
前記基地局が、前記第１グループの直交符号のうち、終了位置の直交符号を指示する第１指示情報を、第１チャネルを介して送信し、前記第２グループの直交符号のうち、終了位置の直交符号を指示する第２指示情報を、第２チャネルを介して送信する過程と；
前記第１端末機が、前記第１チャネルを介して送信された前記第１指示情報を受信し、用いられる直交符号を判断する過程と；
前記第２端末機が、前記第１チャネルを介して送信された前記第１指示情報と前記第２チャネルを介して送信された前記第２指示情報を受信し、用いられる直交符号を判断する過程と；を含むことを特徴とする送受信方法。
【請求項１１】
データサービスのために割当可能な直交符号の中で一つは、直交符号のうち最初の直交符号であることを特徴とする請求項１０に記載の送受信方法。
【請求項１２】
前記順方向チャネル状態の順序は、チャネル状態の悪い順序からチャネル状態の良い順序であることを特徴とする請求項１０に記載の送受信方法。
【請求項１３】
前記第１指示情報と前記第２指示情報は、異なる電力で送信されることを特徴とする請求項１０に記載の送受信方法。
【請求項１４】
前記第１指示情報は、前記第２指示情報よりも高い電力で送信されることを特徴とする請求項１３に記載の送受信方法。
【請求項１５】
複数の端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を、前記基地局と前記端末機間に送受信する方法であって、
前記基地局が、前記各端末機間の順方向チャネル状態を判断する過程と；
前記基地局が、前記端末機のうち順方向チャネル状態の悪い端末機の順序にしたがって前記拡散データの逆拡散のために割当可能な一連の直交符号のうち、開始位置の直交符号から予め設定された数だけの直交符号を割り当てる過程と；
前記基地局が、前記各端末機に対して割り当てられた直交符号の終了位置の直交符号を指示する情報を、対応する端末機識別子情報と共に送信する過程と；
前記各端末機が、前記基地局から送信された情報を受信する過程と；
前記各端末機が、前記受信された情報に含まれた端末機識別子情報と直交符号指示情報に基づいて使用可能な直交符号を判断する過程と；を含むことを特徴とする送受信方法。
【請求項１６】
データサービスのために割当可能な直交符号の中で一つは、直交符号のうち最初の直交符号であることを特徴とする請求項１５に記載の送受信方法。
【請求項１７】
前記順方向チャネル状態の順序は、チャネル状態の悪い順序からチャネル状態の良い順序であることを特徴とする請求項１５に記載の送受信方法。
【請求項１８】
前記終了位置の直交符号を指示する情報は、異なる電力で送信されることを特徴とする請求項１５に記載の送受信方法。
【請求項１９】
前記終了位置の直交符号を指示する情報のうち、前記順方向チャネル状態が最も良い端末機に対して割り当てられた直交符号の終了位置の直交符号を指示する情報が、最も低い電力で送信されることを特徴とする請求項１８に記載の送受信方法。
【請求項２０】
前記各端末機で使用可能な直交符号を判断する過程は、前記受信された情報に含まれた端末機識別子情報が自分の識別子情報と同じ場合に行われることを特徴とする請求項１５に記載の送受信方法。
【請求項２１】
前記各端末機において使用可能な直交符号は、前記一連の直交符号のうち、前記端末機識別子情報と共に受信された直交符号指示情報以前の指示情報により指示される位置の直交符号の次の直交符号から前記受信された直交符号指示情報により指示される位置の直交符号までの直交符号であることを特徴とする請求項２０に記載の送受信方法。
【請求項２２】
複数の端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を前記端末機に送信するための前記基地局装置であって、
前記基地局と前記各端末機間の順方向チャネル状態を判断するチャネル状態判断部と；
前記端末機のうち順方向チャネル状態の悪い端末機の順序にしたがって前記拡散データの逆拡散のために割当可能な一連の直交符号のうち、開始位置の直交符号から予め設定された数だけの直交符号を割り当てる制御部と；
前記各端末機に対して割り当てられた直交符号の終了位置の直交符号を指示する情報を前記各端末機に送信する送信機と；を含むことを特徴とする基地局装置。
【請求項２３】
データサービスのために割当可能な直交符号等の中で一つは、直交符号のうち最初の直交符号であることを特徴とする請求項２２に記載の基地局装置。
【請求項２４】
前記順方向チャネル状態の順序は、チャネル状態の悪い順序からチャネル状態の良い順序であることを特徴とする請求項２２に記載の基地局装置。
【請求項２５】
前記各端末機に対して割り当てられた直交符号の終了位置の直交符号を指示する情報の送信電力を制御する電力制御部をさらに含むことを特徴とする請求項２２に記載の基地局装置。
【請求項２６】
前記電力制御部は、前記終了位置の直交符号を指示する情報の送信電力を異ならせて制御することを特徴とする請求項２５に記載の基地局装置。
【請求項２７】
前記電力制御部は、前記終了位置の直交符号を指示する情報のうち、前記順方向チャネル状態が最も良い端末機に対して割り当てられた直交符号の終了位置の直交符号を指示する情報の送信電力を最も低く制御することを特徴とする請求項２６に記載の基地局装置。
【請求項２８】
第１及び第２端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を、前記端末機に送信するための前記基地局装置であって、
前記基地局と前記各端末機間の順方向チャネル状態を判断するチャネル状態判断部と；
前記端末機のうち、順方向チャネル状態が相対的に悪い前記第１端末機に、前記拡散データの逆拡散のために割当可能な一連の直交符号のうち、開始位置の直交符号から予め設定された第１の数だけの直交符号を含む第１グループの直交符号を割り当て、前記端末機のうち、順方向チャネル状態が相対的に良い前記第２端末機に、前記第１グループの直交符号のうち、終了位置の直交符号から予め設定された第２の数だけの直交符号を含む第２グループの直交符号を割り当てる制御部と；
前記第１グループの直交符号のうち、終了位置の直交符号を指示する第１指示情報を前記第１端末機に送信し、前記第２グループの直交符号のうち、終了位置の直交符号を指示する第２指示情報を前記第２端末機に送信する送信機と；を含むことを特徴とする基地局装置。
【請求項２９】
データサービスのために割当可能な直交符号の中で一つは、直交符号のうち最初の直交符号であることを特徴とする請求項２８に記載の基地局装置。
【請求項３０】
前記順方向チャネル状態の順序は、チャネル状態の悪い順序からチャネル状態の良い順序であることを特徴とする請求項２８に記載の基地局装置。
【請求項３１】
前記第１指示情報と前記第２指示情報の送信電力を制御する電力制御部をさらに含むことを特徴とする請求項２８に記載の基地局装置。
【請求項３２】
前記電力制御部は、前記第１指示情報と前記第２指示情報の送信電力を異ならせて制御することを特徴とする請求項３１に記載の基地局装置。
【請求項３３】
前記電力制御部は、前記第１指示情報が前記第２指示情報よりも高い電力で送信されるように制御することを特徴とする請求項３２に記載の基地局装置。
【請求項３４】
第１及び第２端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を送受信するための装置であって：
前記基地局は、
前記各端末機間の順方向チャネル状態を判断するチャネル状態判断部と、
前記基地局から、前記端末機のうち順方向チャネル状態が相対的に悪い前記第１端末機に、前記拡散データの逆拡散のために割当可能な一連の直交符号のうち、開始位置の直交符号から予め設定された第１の数だけの直交符号を含む第１グループの直交符号を割り当て、前記端末機のうち順方向チャネル状態が相対的に良い前記第２端末機に、前記第１グループの直交符号のうち、終了位置の直交符号から予め設定された第２の数だけの直交符号を含む第２グループの直交符号を割り当てる制御部と、
前記基地局から、前記第１グループの直交符号のうち、終了位置の直交符号を指示する第１指示情報を第１チャネルを介して送信し、前記第２グループの直交符号のうち、終了位置の直交符号を指示する第２指示情報を、第２チャネルを介して送信する送信機と、を含み；
前記第１端末機は、
前記第１チャネルを介して送信された前記第１指示情報を受信する受信機と、
前記受信された前記第１指示情報に基づいて用いられる直交符号を判断する制御部と、を含み；
前記第２端末機は、
前記第１チャネルを介して送信された前記第１指示情報と前記第２チャネルを介して送信された前記第２指示情報とを受信する受信機と、
前記受信された前記第１指示情報及び前記第２指示情報に基づいて用いられる直交符号を判断する制御部と、を含むことを特徴とする送受信装置。
【請求項３５】
データサービスのために割当可能な直交符号の中で一つは、直交符号のうち最初の直交符号であることを特徴とする請求項３４に記載の送受信装置。
【請求項３６】
前記順方向チャネル状態の順序は、チャネル状態の悪い順序からチャネル状態の良い順序であることを特徴とする請求項３４に記載の送受信装置。
【請求項３７】
前記基地局は、前記第１指示情報と前記第２指示情報の送信電力を制御する電力制御部をさらに含むことを特徴とする請求項３４に記載の送受信装置。
【請求項３８】
前記電力制御部は、前記第１指示情報と前記第２指示情報が異なる電力で送信されるように制御することを特徴とする請求項３７に記載の送受信装置。
【請求項３９】
前記電力制御部は、前記第１指示情報が前記第２指示情報よりも高い電力で送信されるように制御することを特徴とする請求項３８に記載の送受信装置。
【請求項４０】
複数の端末機と、予め与えられた時間区間で送信のためのデータを、前記各端末機に対してそれぞれ別に割り当てられた直交符号で拡散して前記端末機に同時に送信する基地局と、を含む移動通信システムにおいて、前記基地局からの前記拡散データの逆拡散のために前記端末機において用いられる直交符号を指示する情報を送受信するための装置であって：
前記基地局は、
前記各端末機間の順方向チャネル状態を判断するチャネル状態判断部と、
前記端末機のうち順方向チャネル状態の悪い端末機の順序にしたがって前記拡散データの逆拡散のために割当可能な一連の直交符号のうち、開始位置の直交符号から予め設定された数だけの直交符号を割り当てる制御部と、
前記各端末機に対して割り当てられた直交符号の終了位置の直交符号を指示する情報を、対応する端末機識別子情報と共に送信する送信機と、を含み；
前記各端末機は、
前記基地局から送信された情報を受信する受信機と、
前記受信された情報に含まれた端末機識別子情報と直交符号指示情報に基づいて使用可能な直交符号を判断する制御部と、を含むことを特徴とする送受信装置。
【請求項４１】
データサービスのために割当可能な直交符号の中で一つは、直交符号のうち最初の直交符号であることを特徴とする請求項４０に記載の送受信装置。
【請求項４２】
前記順方向チャネル状態の順序は、チャネル状態の悪い順序からチャネル状態の良い順序であることを特徴とする請求項４０に記載の送受信装置。
【請求項４３】
前記基地局は、前記各端末機に対して割り当てられた直交符号の終了位置の直交符号を指示する情報の送信電力を制御する電力制御部をさらに含むことを特徴とする請求項４０に記載の送受信装置。
【請求項４４】
前記電力制御部は、前記終了位置の直交符号を指示する情報が異なる電力で送信されるように制御することを特徴とする請求項４３に記載の送受信装置。
【請求項４５】
前記電力制御部は、前記終了位置の直交符号を指示する情報のうち、前記順方向チャネル状態が最も良い端末機に対して割り当てられた直交符号の終了位置の直交符号を指示する情報が、最も低い電力で送信されるように制御することを特徴とする請求項４４に記載の送受信装置。
【請求項４６】
前記各端末機の制御部は、前記受信された情報に含まれた端末機識別子情報が自分の識別子情報と同じ場合に使用可能な直交符号を判断することを特徴とする請求項４０に記載の送受信装置。
【請求項４７】
前記各端末機の制御部は、前記一連の直交符号のうち、前記端末機識別子情報と共に受信された直交符号指示情報以前の指示情報により指示される位置の直交符号の次の直交符号から前記受信された直交符号指示情報により指示される位置の直交符号までの直交符号を、前記各端末機で使用可能な直交符号として判断することを特徴とする請求項４６に記載の送受信装置。
【請求項４８】
複数の端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を、前記基地局により前記端末機に送信する方法であって、
前記拡散データの逆拡散のために割当可能な一連の直交符号を開始位置の直交符号から前記各端末機に割り当てる過程と；
前記各端末機に対して割り当てられた直交符号の終了位置の直交符号を指示する情報を前記各端末機に送信する過程と；を含むことを特徴とする送信方法。
【請求項４９】
データサービスのために割当可能な直交符号の中で一つは、直交符号のうち最初の直交符号であることを特徴とする請求項４８に記載の送信方法。
【請求項５０】
前記各端末機の順方向チャネル状態を判断する過程をさらに含むことを特徴とする請求項４９に記載の送信方法。
【請求項５１】
複数の端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を前記端末機に送信するための前記基地局装置であって、
前記拡散データの逆拡散のために割当可能な一連の直交符号を開始位置の直交符号から前記各端末機に割り当てる制御部と；
前記各端末機に対して割り当てられた直交符号の終了位置の直交符号を指示する情報を前記各端末機に送信する送信機と；を含むことを特徴とする基地局装置。
【請求項５２】
前記制御部は、データサービスのために割当可能な直交符号の最初の直交符号から予め設定された数だけのの直交符号を前記各端末機に割り当てることを特徴とする請求項５１に記載の基地局装置。
【請求項５３】
前記各端末機の順方向チャネル状態を判断するチャネル状態判断部をさらに含むことを特徴とする請求項５２に記載の基地局装置。
【請求項５４】
前記制御部は、前記端末機のうち順方向チャネル状態の悪い端末機の順序にしたがって前記一連の直交符号の最初の直交符号から予め設定された数だけの直交符号を前記各端末機に割り当てることを特徴とする請求項５３に記載の基地局装置。
【請求項５５】
前記順方向チャネル状態の順序は、チャネル状態の悪い順序からチャネル状態の良い順序であることを特徴とする請求項５１に記載の基地局装置。
【請求項５６】
複数の端末機と、予め与えられた時間区間で送信のためのデータを、前記各端末機に対してそれぞれ別に割り当てられた直交符号で拡散して前記端末機に同時に送信する基地局とを含む移動通信システムにおいて、前記拡散データを受信し、前記受信された拡散データの逆拡散のために用いられる直交符号を判断するための前記各端末機の受信装置であって、
前記拡散データの逆拡散のために割当可能な一連の直交符号を貯蔵している貯蔵部と；
前記拡散データの逆拡散のために前記各端末機において用いられる直交符号の終了位置の直交符号を指示する情報と、これらの指示情報各々に対応する端末機識別子情報を前記基地局から受信する受信機と；
自分の識別子情報と同じ端末機識別子情報が受信されたと判断される場合、前記一連の直交符号のうち、前記判断された識別子情報と共に受信された直交符号指示情報により指示される直交符号を含む予め設定された数の直交符号を、前記受信された拡散データの逆拡散のために用いられる直交符号として判断する制御部と；を含むことを特徴とする受信装置。
【請求項５７】
前記設定された数の直交符号は、前記一連の直交符号のうち、初期位置の直交符号から前記受信された直交符号指示情報により指示される直交符号までの直交符号であることを特徴とする請求項５６に記載の受信装置。
【請求項５８】
前記設定された数の直交符号は、前記一連の直交符号のうち、前記各端末機のいずれか一つの端末機に対する直交符号指示情報により指示される直交符号以降の直交符号から前記受信された直交符号指示情報により指示される直交符号までの直交符号であることを特徴とする請求項５６に記載の受信装置。
【請求項５９】
複数の端末機と、予め与えられた時間区間で送信のためのデータを、前記各端末機に対してそれぞれ別に割り当てられた直交符号で拡散して前記端末機に同時に送信する基地局とを含む移動通信システムにおいて、前記各端末機により前記拡散データを受信し、前記受信された拡散データの逆拡散のために用いられる直交符号を判断するための方法であって、
前記拡散データの逆拡散のために前記各端末機において用いられる直交符号の終了位置の直交符号を指示する情報と、これらの指示情報各々に対応する端末機識別子情報を前記基地局から受信する過程と；
自分の識別子情報と同じ端末機識別子情報が受信されたと判断される場合、前記拡散データの逆拡散のために割当可能な一連の直交符号のうち、前記判断された識別子情報と共に受信された直交符号指示情報により指示される直交符号を含む予め設定された数の直交符号を、前記受信された拡散データの逆拡散のために用いられる直交符号として判断する過程と；を含むことを特徴とする方法。
【請求項６０】
前記設定された数の直交符号は、前記一連の直交符号のうち、初期位置の直交符号から前記受信された直交符号指示情報により指示される直交符号までの直交符号であることを特徴とする請求項５９に記載の方法。
【請求項６１】
前記設定された数の直交符号は、前記一連の直交符号のうち、前記各端末機のいずれか一つの端末機に対する直交符号指示情報により指示される直交符号以降の直交符号から前記受信された直交符号指示情報により指示される直交符号までの直交符号であることを特徴とする請求項５９に記載の方法。
【発明の詳細な説明】
【技術分野】
【０００１】
本発明は、音声及びデータサービスを含むマルチメディアサービスを支援する移動通信システムに関し、特に、基地局と端末機間に使用可能な直交符号に対する情報を送/受信する方法及び装置に関する。
【背景技術】
【０００２】
典型的な移動通信システム、例えば、ＩＳ−２０００のような符号分割多重接続(ＣＤＭＡ：Code Division Multiple Access)方式の移動通信システムは、音声サービスだけを支援する形態のものである。しかし、使用者の要求に応じて通信技術が発展するに伴い移動通信システムはデータサービスを支援する形態にも発展しつつある。例えば、ＨＤＲ(High Data Rate)は、高速のデータサービスだけを支援するために提案された移動通信システムである。
【０００３】
既存の移動通信システムは、音声サービスだけを支援する形態またはデータサービスだけを支援する形態のものであった。すなわち、移動通信システムは、音声サービスとデータサービスを同時にサービスする必要があるにもかかわらず、既存の移動通信システムは各サービスを別々に支援していたため、音声サービスを支援しつつも、同時にデータサービスも支援できる移動通信システムの具現が望まれてきたのである。このような要求に応えられる移動通信システムとして、近来、１ｘＥＶ−ＤＶ(Evolution Data and Voice)と呼ばれるシステムが提案された。
【０００４】
ＨＤＲは、音声サービスを除くデータサービスだけを支援するため、１つの基地局が使用可能な直交符号(例えば、ウォルシュ符号)の個数及び種類は常に同じである。これに対し、１ｘＥＶ−ＤＶシステムでは音声サービスを支援することから、音声サービス使用者の有無及びその数によってデータサービスに使用可能なウォルシュ符号の個数及び種類は可変である。したがって、基地局は、データサービスを受ける端末機に随時使用可能なウォルシュ符号の変動事項を通報する必要がある。
【０００５】
また、ＨＤＲでは特定瞬間にデータサービスを受ける端末機の数が常に１つであるが、１ｘＥＶ−ＤＶシステムでは符号分割多重化(ＣＤＭ：Code Division Multiplexing)方式を利用して同じ時間区間で２名以上の使用者が同時にサービスを受けられるようにすることができる。こうするためには、基地局は与えられた総ウォルシュ符号空間(space)のうちどこまでウォルシュ符号を使用できるかについての情報を端末機に通報する必要がある。
【発明の開示】
【発明が解決しようとする課題】
【０００６】
したがって、本発明の目的は、移動通信システムにおいて基地局が端末機にデータサービス用に使用可能な直交符号に対する情報を通報する方法及び装置を提供することにある。
【０００７】
本発明の他の目的は、移動通信システムにおいて端末機が使用可能な直交符号に対する情報を基地局から受信して判断する方法及び装置を提供することにある。
【課題を解決するための手段】
【０００８】
上記の目的を達成するべく、本発明は、移動通信システムにおいて端末機がデータサービスのために使用可能な直交符号に対する情報を基地局と端末機間に送/受信する方法及び装置を提供する。
【０００９】
本発明の一側面(aspect)によれば、複数の端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を前記端末機に送信するための前記基地局装置を提案する。前記基地局装置は、前記基地局と前記各端末機との間の順方向チャネル状態を判断するチャネル状態判断部を含む。制御部は、前記端末機のうち順方向チャネル状態の悪い端末機の順序にしたがって、前記拡散データの逆拡散のために割当可能な一連の直交符号のうち開始位置の直交符号から予め設定された数だけの直交符号を割り当てる。送信機は、前記各端末機に対して割り当てられた直交符号の最後の位置の直交符号を指示する情報を前記各端末機に送信する。
【００１０】
本発明の第２側面によれば、第１及び第２端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を前記端末機に送信するための前記基地局装置を提案する。前記基地局装置は、前記基地局と前記各端末機との間の順方向チャネル状態を判断するチャネル状態判断部を含む。制御部は、前記端末機のうち、順方向チャネル状態が相対的に悪い前記第１端末機に、前記拡散データの逆拡散のために割当可能な一連の直交符号のうち開始位置の直交符号から予め設定された第１の数だけの直交符号を含む第１グループの直交符号を割り当て、前記端末機のうち、順方向チャネル状態が相対的に良い前記第２端末機に、前記第１グループの直交符号のうち最後の位置の直交符号から予め設定された第２の数だけの直交符号を含む第２グループの直交符号を割り当てる。送信機は、前記第１グループの直交符号のうち、最後の位置の直交符号を指示する第１指示情報を前記第１端末機に送信し、前記第２グループの直交符号のうち、最後の位置の直交符号を指示する第２指示情報を前記第２端末機に送信する。
【００１１】
本発明の第３側面によれば、第１及び第２端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機において用いられる直交符号を指示する情報を送受信するための装置を提案する。前記基地局のチャネル状態判断部は、前記各端末機間の順方向チャネル状態を判断する。制御部は、前記基地局から、前記端末機のうち、順方向チャネル状態が相対的に悪い前記第１端末機に、前記拡散データの逆拡散のために割当可能な一連の直交符号のうち、開始位置の直交符号から予め設定された第１の数だけの直交符号を含む第１グループの直交符号を割り当て、前記端末機のうち、順方向チャネル状態が相対的に良い前記第２端末機に、前記第１グループの直交符号のうち、最後の位置の直交符号から予め設定された第２の数だけの直交符号を含む第２グループの直交符号を割り当てる。送信機は、前記基地局から、前記第１グループの直交符号のうち、最後の位置の直交符号を指示する第１指示情報を第１チャネルを介して送信し、前記第２グループの直交符号のうち、最後の位置の直交符号を指示する第２指示情報を第２チャネルを介して送信する。前記第１端末機の受信機は、前記第１チャネルを介して送信された前記第１指示情報を受信する。制御部は、前記受信された前記第１指示情報に基づいて用いられる直交符号を判断する。前記第２端末機の受信機は、前記第１チャネルを介して送信された前記第１指示情報と前記第２チャネルを介して送信された前記第２指示情報とを受信する。制御部は、前記受信された前記第１指示情報及び前記第２指示情報に基づいて用いられる直交符号を判断する。
【００１２】
本発明の第４側面によれば、複数の端末機と、予め与えられた時間区間で送信のためのデータを、前記各端末機に対してそれぞれ別に割り当てられた直交符号で拡散して前記端末機に同時に送信する基地局とを含む移動通信システムにおいて、前記基地局からの前記拡散データの逆拡散のために前記端末機で用いられる直交符号を指示する情報を送受信するための装置を提案する。前記基地局のチャネル状態判断部は、前記各端末機間の順方向チャネル状態を判断する。制御部は、前記端末機のうち、順方向チャネル状態の悪い端末機の順序にしたがって、前記拡散データの逆拡散のために割当可能な一連の直交符号のうち、開始位置の直交符号から予め設定された数だけの直交符号を割り当てる。送信機は、前記各端末機に対して割り当てられた直交符号の最後の位置の直交符号を指示する情報を、対応する端末機識別子情報と共に送信する。前記各端末機の受信機は、前記基地局から送信された情報を受信する。制御部は、前記受信された情報に含まれた端末機識別子情報と直交符号指示情報に基づいて使用可能な直交符号を判断する。
【発明の効果】
【００１３】
上述の如く、本発明は、端末機においてデータサービスの際に用いられる直交符号を表す直交符号空間指示情報を基地局が通報し、端末機が、通報された情報からデータサービスの際に用いられる直交符号を判断できるようにする。したがって、本発明は、各端末機に割り当てられた直交符号空間の終了を指示する情報だけを送信することでデータサービスの際に用いられる直交符号を通報できるため、２つ以上の複数の端末機が同じ時間区間で同時にデータサービスを受ける移動通信システムにおいて効率よく使用されることができるという利点がある。
【発明を実施するための最良の形態】
【００１４】
以下、本発明の好ましい実施例を、添付図面を参照しつつ詳細に説明する。図面中、同一の構成要素には可能な限り同一の参照番号及び符号を共通使用するものとする。尚、下記に本発明を説明するにあたり、関連する公知機能または構成に対する具体的な説明が本発明の要旨を曖昧にさせる恐れがあるとされる場合にはその詳細な説明を適宜省略するものとする。
【００１５】
下記においては、まず本発明の原理が説明され、その本発明の原理に基づく実施例の動作が説明される。本発明の実施例に係る動作は、基地局における動作と、端末機における動作とに区分される。すなわち、本発明は、基地局と、該基地局に連結されて同じ時間区間でデータサービスを同時に受ける少なくとも２つ以上の複数の端末機とを含む通信システムにおいて、前記各端末機においてデータサービスのために用いられる直交符号に対する情報を、前記基地局から前記各端末機に通報する動作と、前記各端末機がデータサービスのために用いられる直交符号に対する情報を判断する動作とに区分される。
【００１６】
下記で使用される語句“ウォルシュ符号空間指示情報(Walsh code space indication information or Walsh code index information)”とは、端末機がデータサービスのために使用するウォルシュ符号を表す情報のことであり、基地局が端末機に通報する情報である。下記では、場合によってウォルシュ符号関連情報またはウォルシュ符号空間の終了部分のような語句が用いられるが、これらの語句はいずれも前記ウォルシュ符号空間指示情報を意味するという事実に留意されたい。また、ウォルシュ符号は、直交符号(orthogonal code)の一例を意味するので、本発明は、ウォルシュ符号の他、これに均等な直交符号を使用する装置及び方法にも適用可能である事実に留意すべきである。また、“順方向”は、基地局から端末機への信号流れを意味し、“順方向チャネル状態”、基地局から端末機に連結される無線リンクの状態を意味する。
【００１７】
[本発明の原理]
本発明によって基地局が端末機へ使用可能なウォルシュ符号を通報する方法は、下記の＜表１＞のような予め備えられたウォルシュ符号テーブル(Table)を利用して順方向のデータを転送する度に、基地局が、該当端末機が受信するウォルシュ符号情報を送信する方法である。例えば、下記の＜表１＞によれば、基地局は、端末機との通信のために３２−aryウォルシュ符号を使用でき、データサービスのために端末機に割当可能な２８位置の指定数がある。
【００１８】
【表１】
2005510117.tif 000003
【００１９】
上記の＜表１＞を参照すれば、基地局は端末機に、前記基地局が提供する一連のウォルシュ符号のうち、どのウォルシュ符号を前記端末機のデータサービスに使用するか決定して通報する。一般の移動通信システムでは、データサービス以外の目的に利用されるウォルシュ符号は、上記の＜表１＞の終了部分から利用されるように基地局が制御する。データサービス以外の目的に利用されるウォルシュ符号は、上記の＜表１＞の終了部分から利用されるとするとき、基地局は端末機に、上記の＜表１＞の始めの部分からどの部分までの直交符号を使用するか通報する。例えば、ウォルシュ符号３１番(位置指定数１)、ウォルシュ符号１５番(位置指定数２)、ウォルシュ符号２３番(位置指定数３)、ウォルシュ符号７番(位置指定数４)、ウォルシュ符号２７番(位置指定数５)がデータサービス用に使用可能な場合、基地局は端末機にウォルシュ符号２７番を指示するウォルシュ符号空間指示情報(Walsh code Space Indicator or Indication Information)である位置指定数‘５’を送信する。前記位置指定数‘５’の情報を受信した端末機は、データサービス用として自分が使用するウォルシュ符号が、上記の＜表１＞のウォルシュ符号２７番(位置指定数５)までであるものを認識する。すなわち、端末機は、位置指定数１〜５に該当するウォルシュ符号を利用してデータサービスを受けなければならないということを判断するようになる。
【００２０】
このようなウォルシュ符号通報方法は、同じ時間区間で１つの端末機のみがデータサービスを受ける場合には問題がない。しかし、同じ時間区間で２つ以上の端末機がデータサービスを受け、各端末機が固有のウォルシュ符号で符号分割多重化(ＣＤＭ：Code Division Multiplexing)される場合、基地局はデータサービス用に使用するウォルシュ符号に対する情報を、上記の通報方法とは異なるようにして各端末機に通報する必要がある。すなわち、１つの端末機には上記の＜表１＞のウォルシュ符号３１番(位置指定数１)からどの部分まで使用するか通報しなければならなく、その他の端末機にはどのウォルシュ符号からどのウォルシュ符号まで使用しなければならないかというような方式で通報する必要がある。同じ時間区間で２つ以上の端末機がデータサービスを受け、各端末機が固有のウォルシュ符号でＣＤＭされる場合、各端末機が使用するウォルシュ符号を効率よく通報する方法には、後述するような本発明の原理に基づいて各端末機の順方向チャネル状態を考慮し、ウォルシュ符号情報を転送する方法が挙げられる。
【００２１】
本発明の原理を適用した例を説明するために２つの端末機が同時にＣＤＭ方式によりデータサービスを受けると仮定する。この時、基地局は、各端末機の順方向チャネル状態を基準に順方向チャネル状態の悪い端末機に、上記の＜表１＞の初期順序の直交符号を表す開始点(位置指定数１)から上記の＜表１＞のどの地点までのウォルシュ符号を使用するか通報する。また、順方向チャネル状態の良い端末機には、全体ウォルシュ符号空間の終了を指示する情報を通報する。各端末機にウォルシュ符号関連情報(ウォルシュ符号空間指示情報)を転送する際には、各端末機に転送されるウォルシュ符号関連情報が一定の受信電力を保持できるように適度の送信電力を割り当てる。すなわち、順方向チャネル状態が相対的に悪い端末機に、順方向チャネル状態が相対的に良い端末機に比べてより多くの送信電力を割り当てる。このように順方向チャネル状態が相対的に悪い端末機に、順方向チャネル状態が相対的に良い端末機よりも多くの送信電力を割り当てる場合、順方向チャネル状態が相対的に良い端末機は、順方向チャネル状態が相対的に悪い端末機に通報されるウォルシュ符号関連情報も受信できるようにする。すなわち、順方向チャネル状態が相対的に良い端末機は、自分に通報されたウォルシュ符号関連情報だけでなく、順方向チャネル状態が相対的に悪い端末機に通報されるウォルシュ符号関連情報も受信することによって、自分が全体ウォルシュ符号空間上において利用するウォルシュ符号の開始点と終了点が分かるようになるのである。
【００２２】
かかる本発明の原理によれば、端末機は、自分が相対的に良い順方向チャネルを持つ端末機なのか、相対的に悪い順方向チャネルを持つ端末機なのかを、受信されるウォルシュ符号関連情報がどのようなウォルシュ符号で直交拡散されて送信されたかを判断することによって分かる。また、ウォルシュ符号関連情報と該当端末機を指定する媒体接近制御識別子(ＭＡＣ ＩＤ：Medium Access Control Identifier)が制御情報内に含まれて直交拡散された後に転送されるため、端末機はこのような制御情報を利用して該当ウォルシュ符号関連情報が自分のためのものか、及び、自分が相対的に良い順方向チャネルを持つ端末機なのか、それとも自分が相対的に悪い順方向チャネルを持つ端末機なのかが判断できる。
【００２３】
例えば、特定端末機は、自分のためのウォルシュ符号情報がウォルシュ符号Ａで直交拡散された場合、自分が相対的に悪い順方向チャネルを持つ端末機であると認識し、全体ウォルシュ符号空間の開始点（上記の＜表１＞のウォルシュ符号３１）から受信したウォルシュ符号情報が指定する部分までが自分に割り当てられたことがわかる。一方、特定端末機は、自分のためのウォルシュ符号情報がウォルシュ符号Ｂで直交拡散された場合、自分が相対的に良い順方向チャネルを持つ端末機であると認識し、ウォルシュ符号Ａで直交拡散されたウォルシュ符号情報が指定する部分の直後のウォルシュ符号からウォルシュ符号Ｂで直交拡散されたウォルシュ符号情報が指定する部分までが自分に割り当てられたことがわかる。
【００２４】
図１は、本発明の原理に基づいて２つの端末機に提供される直交符号空間指示情報を生成する原理を説明するための図である。同図は、２つの端末機が同じ時間区間で同時にＣＤＭ方式によりデータサービスを受ける場合にどのようなウォルシュ符号関連情報が各端末機に通報されるかを示している。上述のように、２つの端末機がそれぞれのデータを受信する時に使用するウォルシュ符号空間の終了部分に対する情報が基地局から各端末機に転送される。各端末機は、自分に転送されたウォルシュ符号関連情報がどのウォルシュ符号で直交拡散されたかによって自分が使用するウォルシュ符号空間を決定する。例えば、自分に転送されたウォルシュ符号関連情報が相対的に悪い順方向チャネルを持つ端末機用ウォルシュ符号で直交拡散された場合、前記相対的にチャネル状態の悪い端末機は、前記ウォルシュ符号関連情報が表す直交符号を、自分が利用するウォルシュ符号空間の終了部分(図１のＢ地点)、及び全体ウォルシュ符号空間の開始部分(図１のＡ地点)とし、これらの開始部分と終了部分の間におけるウォルシュ符号をデータサービスに使用する。一方、自分に転送されたウォルシュ符号関連情報が相対的に良い順方向チャネルを持つ端末機用ウォルシュ符号で直交拡散された場合、前記相対的にチャネル状態の良い端末機は、前記ウォルシュ符号関連情報が表す直交符号を、自分が利用するウォルシュ符号空間の終了部分(図１のＣ地点)とし、相対的に悪い順方向チャネルを持つ端末機用ウォルシュ符号で拡散された情報が指定するウォルシュ符号直後のウォルシュ符号を開始部分(図１のＢ地点の次のウォルシュ符号)とし、これらの開始部分と終了部分との間におけるウォルシュ符号をデータサービスに使用する。
【００２５】
図２は、本発明の原理に基づいて３つの端末機に提供される直交符号空間指示情報を生成する原理を説明するための図である。同図は、図１に示すように、２つの端末機が同時にＣＤＭ方式によりデータサービスを受ける場合を、３つの端末機に対して拡張した場合を示している。同様に、３つの端末機がそれぞれのデータを受信するに際して使用するウォルシュ符号空間の終了部分に対する情報(ウォルシュ符号空間の終了部分を指示する直交符号に対する情報)が、基地局から端末機に転送される。各端末機は、自分に転送されたウォルシュ符号関連情報がどのウォルシュ符号で直交拡散されたかによって自分が使用するウォルシュ符号空間を判断する。例えば、自分に転送されたウォルシュ符号関連情報が最も悪い順方向チャネルを持つ端末機用ウォルシュ符号で直交拡散された場合、第１端末機は、前記ウォルシュ符号関連情報を自分が利用するウォルシュ符号空間の終了部分(図２のＢ地点)、及び、全体ウォルシュ符号空間の開始部分(図２のＡ地点)とし、これらの開始部分と終了部分との間におけるウォルシュ符号をデータサービスに使用する。一方、自分に転送されたウォルシュ符号関連情報が二番目に悪い順方向チャネルを持つ端末機用ウォルシュ符号で直交拡散された場合、第２端末機は、このウォルシュ符号関連情報を自分が利用するウォルシュ符号空間の終了部分(図２のＣ地点)とし、最も悪い順方向チャネルを持つ端末機用ウォルシュ符号で拡散された情報が指定するウォルシュ符号直後のウォルシュ符号を開始部分(図２のＢ地点の次のウォルシュ符号)とし、これらの開始部分と終了部分との間におけるウォルシュ符号をデータサービスに使用する。一方、自分に転送されたウォルシュ符号関連情報が最も良い順方向チャネルを持つ端末機用ウォルシュ符号で直交拡散された場合、第３端末機は、このウォルシュ符号関連情報を自分が利用するウォルシュ符号空間の終了部分(図２のＤ地点)とし、二番目に悪い順方向チャネルを持つ端末機用ウォルシュ符号で拡散された情報が指定するウォルシュ符号直後のウォルシュ符号を開始部分(図２のＣ地点の次のウォルシュ符号)とし、これらの開始部分と終了部分との間におけるウォルシュ符号をデータサービスに使用する。
【００２６】
[本発明の実施例]
図３は、本発明の実施例に係る直交符号空間指示情報生成装置の構成を示す図である。この装置は、基地局と、該基地局に連結されて同じ時間区間でデータサービスを同時に受ける複数の端末機とを含む移動通信システムにおいて、前記各端末機においてデータサービスのために用いられる直交符号に対する情報を、前記各端末機に通報するための前記基地局の内部に構成される。
【００２７】
図３を参照すれば、前記直交符号空間指示情報生成装置は、チャネル状態判断部１０１、貯蔵部１０２、制御部１０３、チャネル送信機１０４、及び電力制御部１０５を含む。前記チャネル状態判断部１０１は、複数の端末機各々に対する順方向チャネル状態を判断する。前記貯蔵部１０２は、上記の＜表１＞に示すように、基地局により提供される一連の直交符号に対する情報を貯蔵する。前記制御部１０３は、前記端末機に対して、チャネル状態のよくない順に、初期順序の直交符号から予め設定された数だけの前記一連の直交符号を順次的に割り当てる。前記チャネル送信機１０４は、前記制御部１０３の制御の下に前記各端末機に割り当てられた直交符号のうち、最後の順序(終了部分)の直交符号を指示する情報を前記各端末機に送信する。例えば、前記基地局が、第１端末機及び第２端末機にデータサービスを同時に提供し、前記制御部１０３が前記一連の直交符号のうち第１グループの直交符号を前記第１端末機のために割り当て、前記一連の直交符号のうち第２グループの直交符号を前記第２端末機のために割り当てるとする時、前記送信機は、前記第１グループの直交符号のうち、最後の位置の直交符号を指示する情報を、第１チャネル(例えば、ＰＤＣＣＨ１)を介して前記第１端末機に送信し、前記第２グループの直交符号のうち、最後の位置の直交符号を指示する情報を、第２チャネル(例えば、ＰＤＣＣＨ２)を介して前記第２端末機に送信する。このチャネル送信機１０４は、後述する図５に示すように構成される。前記電力制御部１０５は、チャネル状態のよくない端末機が高い電力を持つように前記各端末機に送信される前記指示情報の電力を制御する。
【００２８】
図５は、図３に示すチャネル送信機１０４の構成を具体的に示す図である。同図では、ウォルシュ符号関連情報を含む制御情報を転送する上で利用する順方向制御チャネル送信機の構造を示している。
【００２９】
図５を参照すれば、基地局が転送する制御情報は、ウォルシュ符号関連情報、該当チャネルを受信する端末機を指定するＭＡＣ ＩＤ、及びその他の制御情報からなる。前記ウォルシュ符号関連情報、すなわちウォルシュ符号空間指示情報は、基地局から提供されるウォルシュ符号が、上記の＜表１＞に示すように、３２−aryウォルシュ符号である場合には５ビットで具現されることができる。前記制御情報は、誤り検出符号化器５０１により誤り検出符号化(error detection encoding)される。ここで誤り検出符号化とは、巡回冗長符号(Cyclic Redundancy Code：ＣＲＣ)のような方式で制御情報を符号化して送信することによって、端末機において誤りの有無を判断できるようにする。端末機は、前記制御情報を受信してＣＲＣ検査(check)をすることによって該当チャネルを誤りなしで受信したか否か判断できる。前記誤り検出符号化器５０１から出力された符号化シンボルには、テールビット付加部５０２により符号器テールビット(encoder tail bit)が付加される。この符号器テールビットの付加された符号化シンボルは、チャネル符号化器(Channel Encoder)５０３によりチャネル符号化される。これらのチャネル符号化されたシンボルは、シンボル繰り返し器(Symbol Repetition Block)５０４及びシンボルせん孔器(Symbol Puncturing Blocks)５０５で適宜の繰り返し及びせん孔を経た後、インターリーバー(Interleaver)５０６によりインターリービングされる。該インターリーバー５０６には、ブロックインターリーバー(block interleaver)が使用されることができる。前記インターリーバー５０６から出力されたシンボルは、変調器(Modulator)５０７により変調された後、直交拡散器(Spreader)５０８により拡散される。このとき前記直交拡散器５０８は予め割り当てられた直交拡散用ウォルシュ符号によって変調シンボルを拡散した後、転送のために出力する。また、これらのシンボルは電力制御部１０５にも提供される。
【００３０】
図４は、本発明の実施例によって基地局から直交符号空間指示情報を生成して端末機に通報する動作を示す処理の流れ図である。同図は、２つ以上の端末機がデータサービスを受け、各端末機が固有のウォルシュ符号でＣＤＭされる場合に端末機に使用するウォルシュ符号を通報する方法に対する流れを示す。
【００３１】
図４を参照すれば、過程３０１において基地局は、ＣＤＭ方式によって同じ時間区間で同時にデータサービスを受ける端末機の個数を定め、各端末機に割り当てられるウォルシュ符号の個数を定める。前記過程３０１において１つの端末機だけがデータサービスを受けると定められる場合、基地局は、過程３０２においてその端末機が上記の＜表１＞のどのウォルシュ符号まで利用しなければならないか決定し、これを指定するウォルシュ符号関連情報を過程３０３において端末機に転送する。前記過程３０３において、ウォルシュ符号関連情報を端末機に転送するとき直交拡散に利用されるウォルシュ符号は、いつも最も悪い順方向チャネル状態を持つ端末機用ウォルシュ符号である。
【００３２】
一方、前記過程３０１において２つ以上の端末機が同時にデータサービスを受けると定められる場合、基地局は、過程３０４及び過程３０５において、各端末機の順方向チャネル状態を基準に端末機の順位を定め、それにしたがってウォルシュ符号を割り当てる。定められた順位は、上で詳細に述べたように、各端末機のウォルシュ符号関連情報と直交拡散に利用されるウォルシュ符号を決定するためのものである。これと同時に、データサービスを受ける端末機のうち最も悪い順方向チャネル状態を持つ端末機からウォルシュ符号関連情報が定められる。最も悪い順方向チャネル状態を持つ端末機のウォルシュ符号関連情報は、図１及び図２に示すように、全体ウォルシュ符号空間の開始点を基準に該当端末機が利用するウォルシュ符号空間(space)の終了部分を指定する情報である。二番目に悪い順方向チャネル状態を持つ端末機のウォルシュ符号関連情報もやはり、図１及び図２に示すと同様に、最も悪い順方向チャネル状態を持つ端末機のウォルシュ符号空間が終わる地点以降を基準に該当端末機が利用するウォルシュ符号空間の終了部分を指定する情報である。これと同様にしてデータサービスを受ける端末機のウォルシュ符号関連情報も定められる。過程３０６において、各端末機は、順方向チャネル状態にしたがって直交拡散に利用されるウォルシュ符号が割り当てられ、直交拡散されて転送される。
【００３３】
図６は、本発明の実施例に係る直交符号空間判断装置の構成を示す図である。この装置は、基地局と、該基地局に連結されて同じ時間区間でデータサービスを同時に受ける複数の端末機とを含む移動通信システムの前記端末機の内部に構成される。
【００３４】
図６を参照すれば、前記直交符号空間判断装置は、チャネル受信機２０２と、貯蔵部２０３と、制御部２０４を含む。前記チャネル受信機２０２は、基地局により提供される一連の直交符号のうち、予め定められた直交符号を指示する情報を前記基地局から受信して処理する。前記チャネル受信機２０２は、逆拡散器２０１を含んでおり、後述する図８のように構成される。前記貯蔵部２０３は、上記の＜表１＞に示すように基地局により提供される一連の直交符号に対する情報を貯蔵する。前記制御部２０４は、前記指示情報により指示される直交符号のうち、端末機で用いられる直交符号を判断し、前記判断された直交符号の以前に前記指示情報により指示される直交符号の次の直交符号から前記判断された直交符号までの直交符号を、データサービスのために用いられる直交符号として判断する。前記制御部２０４は、端末機で用いられる直交符号であるか否かを、前記指示情報と共に前記基地局から受信された端末機識別子であるＭＡＣ ＩＤにより判断する。前記制御部２０４は、前記指示情報により指示される直交符号のうち、最初の直交符号が前記端末機で用いられる直交符号として判断される場合、前記一連の直交符号のうち、最初の直交符号から前記判断された直交符号までの直交符号を、前記データサービスのために用いられる直交符号として判断する。
【００３５】
図８は、図６に示すチャネル受信機２０２の構成を具体的に示す図である。このチャネル受信機２０２は、図５に示したチャネル送信機に対応する。
図８を参照すれば、受信された信号は、逆拡散器(Despreader)６０１により逆拡散される。該逆拡散器６０１により逆拡散された信号は、復調器(Demodulator)６０２により復調化された後、デインターリーバー(Deinterleaver)６０３によりデインターリービングされる。このデインターリーバー６０３は、ブロックデインターリーバー(block deinterleaver)で具現されることができる。前記デインターリーバー６０３によりデインターリービングされたシンボルは、シンボル結合器(Symbol Combiner)６０４によりシンボル結合された後、シンボル逆せん孔器(Symbol Depuncturer)６０５によりシンボル逆せん孔(symbol depuncturing)される。前記シンボル逆せん孔器６０５から出力されるシンボルは、チャネル復号化器(Channel Decoder)６０６により復号化される。該チャネル復号化器６０６から出力されたシンボルに対しては、誤り検出器(error detector)６０７により誤りなしで受信されたか否か判定される。該誤り検出器６０７で誤りなしで受信されたと判定される場合、制御部６０８は、前記チャネル復号化器６０６から出力された情報を誤りなしで受信したものと認識し、これを用いて下記で説明するウォルシュ符号関連情報のような制御情報を類推する。
【００３６】
図７は、本発明の実施例によって端末機で基地局から直交符号空間指示情報を受信して使用可能な直交符号を判断する動作を示す処理の流れ図である。同面は、２つ以上の端末機がデータサービスを受け、各端末機が固有のウォルシュ符号でＣＤＭされる場合、端末機に使用するウォルシュ符号を受信する方法に対する流れを示している。
【００３７】
図７を参照すれば、端末機は、過程４０１においてまず、最も悪い順方向チャネルを持つ端末機に割り当てられる直交拡散用ウォルシュ符号を用いてウォルシュ符号関連情報を受信しようと試みる。過程４０１でウォルシュ符号関連情報が正しく受信されたか否かはＣＲＣ検査を通じてわかる。前記過程４０１においてウォルシュ符号関連情報が受信されたと判定された場合、端末機は、過程４０２で受信したウォルシュ符号関連情報が自分のためのものか判定する。ウォルシュ符号関連情報は、上にも述べたように、各端末機を指定するＭＡＣ ＩＤと共に送信されるので、端末機はウォルシュ符号関連情報と共に受信したＭＡＣ ＩＤが自分のものなのか確認することによって、自分のためのウォルシュ符号関連情報なのかが判断できる。前記過程４０２で受信されたウォルシュ符号関連情報が自分のものとして判定される場合、端末機は、全体ウォルシュ符号空間の開始点から受信されたウォルシュ符号関連情報が指定する全体ウォルシュ符号空間の地点までの間に存在するウォルシュ符号を自分のデータ受信用として認識し、これを利用して過程４０３においてデータサービスを受信する。
【００３８】
前記過程４０１において最も悪い順方向チャネル状態を持つ端末機に転送されたウォルシュ符号関連情報を受信しなかったか、過程４０２において受信したウォルシュ符号関連情報が自分のためのものでないと判定される場合、端末機は、過程４０４において二番目に悪い順方向チャネルを持つ端末機に割り当てられる直交拡散用ウォルシュ符号を用いてウォルシュ符号関連情報を受信しようと試みる。過程４０４でウォルシュ符号関連情報が正しく受信されか否かは、過程４０１の場合と同様に、ＣＲＣ検査を通じてわかる。前記過程４０４でウォルシュ符号関連情報が受信されたと判定される場合、端末機は過程４０５において受信したウォルシュ符号関連情報が自分のためのものなのか判定する。ウォルシュ符号関連情報は、上にも述べたように、各端末機を指定するＭＡＣ ＩＤと共に送信されるので、端末機はウォルシュ符号関連情報と共に受信したＭＡＣ ＩＤが自分のものなのかを確認することによって自分のためのウォルシュ符号関連情報なのかが判断できる。前記過程４０５において受信されたウォルシュ符号関連情報が自分のものとして判定される場合、端末機の動作は、前記過程４０１で最も悪い順方向チャネル状態を持つ端末機用ウォルシュ符号関連情報を受信したか否かによって変わる。つまり、前記過程４０１で最も悪い順方向チャネル状態を持つ端末機用ウォルシュ符号関連情報を受信した場合、端末機は過程４０１で受信したウォルシュ符号関連情報が指定する全体ウォルシュ符号空間の地点直後のウォルシュ符号を開始点とし、前記過程４０４で受信したウォルシュ符号関連情報が指定する全体ウォルシュ符号空間の地点まで存在するウォルシュ符号を自分のデータ受信用として認識し、これを利用して過程４０７においてデータサービスを受信する。しかし、前記過程４０５で受信されたウォルシュ符号関連情報が自分のものとして判定されたが前記過程４０１で最も悪い順方向チャネル状態を持つ端末機用ウォルシュ符号関連情報を受信しなかった場合、端末機は、過程４０８において自分のためのデータが基地局から送信されたが、該当データを受信できないものと判断し、該当時間区間での受信をあきらめる。
【００３９】
前記過程４０４において二番目に悪い順方向チャネル状態を持つ端末機に転送されたウォルシュ符号関連情報を受信できなかったり、過程４０５において受信したウォルシュ符号関連情報が自分のためのものでないと判定される場合、端末機は、過程４０９において、三番目に悪い順方向チャネルを持つ端末機に割り当てられる直交拡散用ウォルシュ符号を用いてウォルシュ符号関連情報を受信しようと試みる。過程４０９においてウォルシュ符号関連情報が正しく受信されたか否かは、前記過程４０１、４０４と同様に、ＣＲＣ検査を通じてわかる。前記過程４０９でウォルシュ符号関連情報が受信されたと判定された場合、端末機は、過程４１０において受信したウォルシュ符号関連情報が自分のためのものなのか判定する。ウォルシュ符号関連情報は、上にも述べたように、各端末機を指定するＭＡＣ ＩＤと共に送信されるので、端末機は、ウォルシュ符号関連情報と共に受信したＭＡＣ ＩＤが自分のものなのかを確認することによって自分のためのウォルシュ符号関連情報なのかが判断できる。前記過程４１０において受信されたウォルシュ符号関連情報が自分のものと判定される場合、端末機の動作は、前記過程４０４で二番目に悪い順方向チャネル状態を持つ端末機用ウォルシュ符号関連情報を受信したか否かによって変わる。つまり、前記過程４０４で二番目に悪い順方向チャネル状態を持つ端末機用ウォルシュ符号関連情報を受信した場合、端末機は、過程４０４で受信したウォルシュ符号関連情報が指定する全体ウォルシュ符号空間の地点直後のウォルシュ符号を開始点とし、前記過程４０９で受信したウォルシュ符号関連情報が指定する全体ウォルシュ符号空間の地点までに存在するウォルシュ符号を自分のデータ受信用として認識し、これを利用して過程４１２においてデータサービスを受信する。一方、前記過程４１０において受信されたウォルシュ符号関連情報が自分のものと判定されたが、前記過程４０４で最も悪い順方向チャネル状態を持つ端末機用ウォルシュ符号関連情報を受信できなかった場合、端末機は、過程４１４において自分のためのデータが基地局から送信されたが、該当データを受信できないと判断し、該当時間区間での受信をあきらめる。
【００４０】
図７は、最大３つの端末機が同時にデータサービスを受ける場合に適用する流れ図である。しかし、同時にデータサービスを受ける端末機の最大個数が３つより大きい場合にも、この方法は拡張可能である。この流れ図の核心概念は、全ての端末機のためのウォルシュ符号関連情報として該当端末機が利用する全体ウォルシュ符号空間上の終了部分(最後の順序)の直交符号を指示する情報を転送するということにある。端末機は、自分が使用するウォルシュ符号を認識するためには、自分のためのウォルシュ符号関連情報と、自分より順方向チャネル状態が１順位低い端末機のウォルシュ符号関連情報を受信して、それら各々から、自分が利用するウォルシュ符号の開始地点と終了地点を確認することができる。基地局により上記の＜表１＞に示したような一連のウォルシュ符号が提供されると仮定するとき、各端末機に割り当てられるウォルシュ符号の空間を表すウォルシュ符号の開始地点と終了地点についてまとめると、下記のとおりになる。
【００４１】
最も悪い順方向チャネル状態を持つ端末機が利用するウォルシュ符号の開始地点：データサービスのための全体ウォルシュ符号空間の開始地点。
最も悪い順方向チャネル状態を持つ端末機が利用するウォルシュ符号の終了地点：最も悪い順方向チャネル状態を持つ端末機用ウォルシュ符号で直交拡散されたウォルシュ符号関連情報が指定する地点。
【００４２】
Ｎ番目に悪い順方向チャネル状態を持つ端末機が利用するウォルシュ符号の開始地点：(Ｎ−１)番目に悪い順方向チャネル状態を持つ端末機用ウォルシュ符号で直交拡散されたウォルシュ符号関連情報が指定する地点直後の地点。
【００４３】
Ｎ番目に悪い順方向チャネル状態を持つ端末機が利用するウォルシュ符号の終了地点：Ｎ番目に悪い順方向チャネル状態を持つ端末機用ウォルシュ符号で直交拡散されたウォルシュ符号関連情報が指定する地点。
【００４４】
上で言及した特定端末機用ウォルシュ符号とは、基地局が該当端末機にウォルシュ符号関連情報を転送する上で利用する直交拡散用ウォルシュ符号のことを意味する。また、前記ウォルシュ符号関連情報は、上記の＜表１＞の特定地点を指定する情報のことである。
【００４５】
図４及び図７において、上記の＜表１＞の特定地点を表す情報を、基地局が端末機に転送する方法は、上記の＜表１＞に示すように基地局から提供される一連のウォルシュ符号に対する情報を基地局及び端末機が各々貯蔵した状態（例えば、図３の貯蔵部１０２、図６の貯蔵部２０３）で、上記の＜表１＞の左列に示されたウォルシュ符号番号または右列に示された位置指定数を送信することから可能となる。
【００４６】
上述したように、ウォルシュ符号関連情報に全体ウォルシュ符号空間上の終了地点を指定する方法に代えて、各端末機が利用するウォルシュ符号の個数を指定して転送する方法も使用可能である。しかし、ウォルシュ符号の個数を指定して転送する方法では、Ｎ番目の端末機が、自分が利用するウォルシュ符号を得るためには１〜Ｎ番目の端末機用ウォルシュ符号関連情報を必要とする。すなわち、１〜Ｎ番目のウォルシュ符号関連情報のうち一つにおいてでも誤りがある場合、Ｎ番目の端末機は、自分が利用するウォルシュ符号を得ることができない。これに対し、本発明で提案する方法では、Ｎ番目の端末機が、自分が利用するウォルシュ符号を得るためには、Ｎ−１番目、Ｎ番目の端末機用ウォルシュ符号関連情報だけを必要とする。すなわち、１〜(Ｎ−２)番目のウォルシュ符号関連情報に誤りがあっても、Ｎ番目の端末機は、自分が利用するウォルシュ符号を得ることができる。
【００４７】
本発明の詳細な説明では具体的な実施例に挙げて説明したが、本発明の範囲を外れない限度内で様々な変形が可能であることは勿論のことである。したがって、本発明の範囲は、説明された実施例によって限定されるのではなく、特許請求の範囲、及びこの特許請求の範囲と均等なものなどによって定められるべきである。
【図面の簡単な説明】
【００４８】
【図１】本発明の原理に基づいて２つの端末機に提供される直交符号空間指示情報を生成する原理を説明するための図である。
【図２】本発明の原理に基づいて３つの端末機に提供される直交符号空間指示情報を生成する原理を説明するための図である。
【図３】本発明の実施例に係る直交符号空間指示情報生成装置の構成を示す図である。
【図４】本発明の実施例によって基地局から直交符号空間指示情報を生成して端末機に通報する動作の処理流れ図である。
【図５】図３に示すチャネル送信機の構成を具体的に示す図である。
【図６】本発明の実施例に係る直交符号空間判断装置の構成を示す図である。
【図７】本発明の実施例によって端末機において基地局から直交符号空間指示情報を受信して使用可能な直交符号を判断する動作の処理流れ図である。
【図８】図６に示すチャネル受信機の構成を具体的に示す図である。
【図１】
2005510117.tif 000004
【図２】
2005510117.tif 000005
【図３】
2005510117.tif 000006
【図４】
2005510117.tif 000007
【図５】
2005510117.tif 000008
【図６】
2005510117.tif 000009
【図７】
2005510117.tif 000010
【図８】
2005510117.tif 000011
【国際調査報告】
2005510117.tif 000012